(57)【特許請求の範囲】
【請求項１】
自走してまたは被牽引により走行する機体（１）に、横長の箱状に形成して上面側に上蓋（２ａ）により開閉する開口部（２０）を開設したホッパ（２）を装架し、そのホッパ（２）内の下部に、回転するアジテータ（４）を装架し、ホッパ（２）の底壁に、開度を調整自在とした散布口を設けた肥料散布機において、ホッパ（２）の内部で、該ホッパ（２）の上面側に開口した開口部（２０）に凭れかけた肥料袋（Ｂ）のホッパ（２）内に垂れ下がる前端側を支承する高さ位置に、棚段状に形成した支承台（６）を配位して、ホッパ（２）に対し装脱自在に棚設したことを特徴とする肥料散布機における肥料袋の支持台。
【請求項２】
肥料袋（Ｂ）を支承さす支承台（６）を、肥料袋（Ｂ）の開封口から流出さす肥料の通過を許容して肥料袋（Ｂ）を支承する簀の子状または網状に形成して、ホッパ（２）の上面側の開口部（２０）の下方位置に、その開口部（２０）を下方から塞ぐように配位して棚設することを特徴とする請求項１記載の肥料散布機における肥料袋の支持台。
【請求項３】
前記ホッパ（２）の内部には、該ホッパ（２）内を左右に区画する仕切り板状に形成した取付部材（７）を組み付け、その取付部材（７）に左右に長い棚段状に形成した支承台（６）の通過を許容する開口（７ａ）を設け、これに挿通した支承台（６）を、取付部材（７）に係止してホッパ（２）に対し支架せしめたことを特徴とする請求項１記載の肥料散布機における肥料袋の支持台。
【発明の詳細な説明】
【技術分野】
【０００１】
本発明は、自走して、または被牽引により走行する機体に装架せるホッパ内に投入した粉末状または粒状の肥料・石灰を、ホッパ内の下部に設けたアジテータにより、攪拌・混合して、ホッパの底部に開度調整自在に設けた肥料散布口から繰り出し、圃場に散布して施肥する形態の肥料散布機（ライムソーワ）において、それのホッパ内に、肥料が填められている肥料袋から、その肥料袋を開封して投入するときに、ホッパの上方の開口部にもたれかけさせた肥料袋を、ホッパの開口部の近辺位置に支承せしめて保持せしめるように機体に装設する肥料袋の支持台についての改良に関する。
【背景技術】
【０００２】
自走または被牽引により走行する機体に装架したホッパ内に、散布すべき肥料・石灰を投入しておいて、その肥料・石灰をホッパ内に設けたアジテータによりときほぐしながらホッパの底面に設けた散布口から圃場にばらまき状態に散布していくライムソーワの形態の肥料散布機Ａは、通常、図１に示しているように、トラクタ（図示省略）の車体に対し、三点リンクのリンク機構を介して連結装着される機体１に、上方に開口する横長の箱状のホッパ２を装架し、そのホッパ２内の下部の左右の中央部位に、トラクタのＰＴＯ軸から伝導軸を介して伝導される回転動力により駆動される伝導機構を収蔵せしめたミッション部３を装設し、これの左右の両側に、前記伝導機構と伝導して駆動回転する左右方向の回転軸４０・４０をそれぞれ軸架して、これの周面に放射方向に突出する螺旋翼状の攪拌翼４１を、軸方向に多連に並列させて取り付けることで、アジテータ４に構成し、ホッパ２の底面には、左右にスライドするシャッタ板（図示省略）の作動により、開度が自在に調節される散布口（図示省略）を、左右方向に多連に並列させて開口しておき、ホッパ２の上方に開口する開口部２０には、開口自在に上蓋２ａを設けることで構成するようにしている。
【０００３】
そして、ホッパ２内に散布すべき肥料を投入するために、ホッパ２の上蓋２ａを開放して、ホッパ２の上方に開口する開口部２０を開き、その開口部２０の口縁に、肥料が填められている肥料袋Ｂをもたれ掛けさせて、その肥料袋Ｂの口を開封することで肥料の投入を行う際に、肥料袋Ｂを支承せしめて支持するために装設される支持台５は、ホッパ２の開口部２０の後縁側で、ホッパ２の左右の両側端部に、後方に向けて突出する支持アーム５０をそれぞれ設け、これら支持アーム５０・５０間に、パイプ状または板状の棚部材５１を渡架することで構成してある。
【０００４】
この肥料・石灰をばら撒き散布する形態の肥料散布機Ａにおいて、それのホッパ２内に、散布すべき肥料・石灰を投入する作業は、ホッパの上蓋２ａを開いて、ホッパ２の上方に開放する開口部２０を開き、肥料が填められている肥料袋Ｂを、開口部２０の口縁部に、前半側が開口部２０を介してホッパ２内部に臨み、後半側が開口部２０の口縁部からホッパ２の手前に張り出す状態として、開口部２０の口縁部に凭れかけ、後半側をホッパ２の手前に棚設してある支持台５に支承させた状態としておいて、肥料袋Ｂの前端の開封口を開き、内部に填められている肥料をホッパ２内に流出させることで行われる。
【０００５】
このとき、肥料袋Ｂの後半側を支承させるようにホッパ２の開口部の手前の位置に棚状に設ける支持台５は、それに支承させた肥料袋Ｂの開封口からの肥料の流出が自然に行われるように、支承する肥料袋Ｂをホッパの内部に向け傾斜下降した姿勢とするように、ホッパの開口部２０の口縁のレベルより幾分高い位置に設定してある。
【発明の開示】
【発明が解決しようとする課題】
【０００６】
上述の形態の肥料散布機には、解決すべき課題として以下の問題がある。
第１には、肥料をホッパ２内に投入するときに、ホッパ２０の開口部の口縁に凭れかけた肥料袋Ｂを安定に保持せしめるために、肥料袋Ｂの後半側を支承させるよう開口部２０の口縁の手前側に装設してある肥料袋Ｂの支持台５が、それに支持した肥料袋Ｂからの肥料の流出を助長させるようホッパ２の開口部２０の口縁のレベル位置より幾分高い位置に、開口部２０の内部に向け下降傾斜する状態に設けてあることと、肥料袋Ｂの重量が約２０ｋｇとかなりの重量であることから、ホッパ２の開口部２０に肥料袋Ｂを凭れかけるときに、肥料袋Ｂをホッパ２の内部に滑り落としてしまう作業ミスを生ぜしめることである。
【０００７】
肥料袋Ｂがホッパ２内に落ち込むと、ホッパ２内の底部には、左右方向の回転軸４０によりそれの周面から突出する攪拌翼４１が回動してホッパ２内に投入された肥料を攪拌流動せしめるアジテータ４が渡架装設してあることで、それの攪拌翼４１を損傷させたり回転軸４０を変形させたりして、アジテータ４の機能に損傷を生ぜしめ故障となることである。
【０００８】
第２には、肥料袋Ｂをホッパ２の開口部２０に凭れかけ、肥料袋Ｂの後半側を支持台５に支承させて、肥料袋Ｂ内の肥料を開封した開口からホッパ２内に流し込んでいるとき、肥料袋Ｂ内の肥料の量が減少して、流出に滞りが生じてくるようになったときに、肥料袋Ｂの底部となる後端側を作業員が手で持って、逆さに吊り下げるようにして肥料袋Ｂ内の肥料をホッパ２内に流出させるようにするが、この作業の際、肥料の流出により空になった肥料袋Ｂを処理するときに、その肥料袋Ｂがホッパ２の開口部２０に流れ、または、ホッパの上方において作業員の手から離れると、その空の肥料袋Ｂがホッパ２内に落ち込んで、ホッパ２内の底部のアジテータ４に接触するようになることである。
【０００９】
このホッパ２内に落ち込んだ空の肥料袋Ｂは、ホッパ２内の底部のアジテータ４が駆動回転している状態であれば、ホッパ２内に落下したときに、回転しているアジテータ４の攪拌翼４１・回転軸４０に巻き込まれて、からみ付き、アジテータ４の機能を不能にする故障となる。
【００１０】
第３には、ホッパ２に落ち込んで、アジテータ４にからみ付いた肥料袋Ｂを除去するために、作業員がホッパ２内に深く手を差し込んで、肥料袋Ｂを取り出すとき、回転しているアジテータ４に作業員の手が接触することで、傷害事故を起こすようになることである。
【課題を解決するための手段】
【００１１】
上述の課題を解決するための手段として本発明においては、特許請求の範囲の請求項１に記載したように、自走してまたは被牽引により走行する機体１に、横長の箱状に形成して上面側に上蓋２ａにより開閉する開口部２０を開設したホッパ２を装架し、そのホッパ２内の下部に、回転するアジテータ４を装架し、ホッパ２の底壁に、開度を調整自在とした散布口を設けた肥料散布機において、ホッパ２の内部で、該ホッパ２の上面側に開口した開口部２０に凭れかけた肥料袋Ｂのホッパ２内に垂れ下がる前端側を支承する高さ位置に、棚段状に形成した支承台６を配位して、ホッパ２に対し装脱自在に棚設したことを特徴とする肥料散布機における肥料袋の支持台を提起するものである。
【発明の効果】
【００１２】
本発明による肥料散布機における肥料袋の支持台は、ホッパ内の、ホッパの開口部のすぐ下方位置に、肥料袋を支承する支承台を、肥料の通過を許容する簀の子状または網状に形成して、ホッパの開口部を下方から塞ぐ棚段状に設けているのだから、肥料袋を開封して肥料をホッパ内に投入する作業が、肥料袋を支承台に支持させた状態で行え、また、このとき、肥料袋がホッパ内に落ち込むようになっても、支承台に堰き止められるので、ホッパ内の底部に設けてあるアジテータにからみ付くことがないので楽に作業が行える。
【００１３】
しかも、支承台は、作業員がホッパ内に深く手を差し込むのを阻止するので、ホッパ底部のアジテータによる接触事故を効果的に抑止する安全対策のガードとなる。
【発明を実施するための最良の形態】
【００１４】
次に本発明の実施の態様を、実施例につき図面に随い詳述する。
【実施例１】
【００１５】
図４乃至図６は、本発明手段を実施せる肥料散布機を示し、図４は一部破断した側面図、図５は一部破断した正面図、図６は一部破断した平面図である。これらの図において、Ａは肥料散布機、１は肥料散布機Ａの機体、２はその機体１に組み付け装架したホッパ、３はホッパ２内の下部の左右の中央部位に装架せるミッション部、４はミッション部３の左右の両側におけるホッパ２内の底部に装架せるアジテータ、６はホッパ２内の上部に寄せた位置に棚設せる支承台、７はその支承台６を、ホッパ２に対し装脱自在に組み付け支架せしめる取付部材を示している。
【００１６】
肥料散布機Ａは、この例においては、トラクタ（図示省略）の車体の後部に装設せる連結ヒッチに、連結機構を介して連結装架し、トラクタの走行により走行する被牽引型の形態のものであり、主体１０の前面側に、トラクタの車体の後部に装備されている連結ヒッチに対し三点リンク機構を介して連結装着する連結ヒッチ１１を設け、その主体１０の後面側に、正面視において、左右に長い箱状で、側面視において、下方に向かい次第に前後の巾を縮小するロート状に形成したホッパ２を組み付け、そのホッパ２は、上面側に上方に開放する開口部２０を開設して、開閉自在の上蓋２ａで閉鎖し、ホッパ２の内部には、底部に寄せた部位の、左右の中央部位に、伝導機構を収蔵せしめたミッション部３を配位して一体的に組み付け、そのミッション部３の左右の両側に、軸方向を左右方向とした回転軸４０をそれぞれ配位し、それら回転軸４０とミッション部３とホッパ２の左右の側壁２１との間に渡架軸支して、ミッション部３内に収蔵せる伝導機構に伝導連繋し、これら回転軸４０の周面に、周縁に切欠きを具備するデスク状の攪拌翼４１を、軸方向に多連に並列させて装着し、それら攪拌翼４１の並列して相い隣なる適宜数の攪拌翼４１の周縁間に攪拌棒４２を渡架装着し、これにより回転軸４０の駆動回転により攪拌翼４１及び攪拌棒４２が回動して、ホッパ２内に投入された肥料を攪拌・流動させるアジテータ４を構成するようにし、また、ホッパ２の底壁には、ホッパ２内に投入された肥料をホッパ２の下方に排出して散布するための多数の散布口（図示省略）を、左右方向に所定の間隔をおいて並列させて開設し、かつ、ホッパ２の底壁の上面または下面には、底壁に重合して左右に自在にスライドするシャッタ板（図示省略）を設け、そのシャッタ板の前記散布口とそれぞれ対応する位置に、繰出口を開設しておいて、このシャッタ板のスライド操作により、ホッパ２の底壁に設けた散布口の開度が、所望に調節し得るようにしておき、これにより、ホッパ２内に投入された肥料を、ホッパ２底部の散布口から圃場に撒布していく肥料散布機Ａを構成するようにしてある。
【００１７】
Ｃは、この肥料散布機Ａのホッパ２内に、散布すべき肥料を、肥料袋Ｂから投入して張り込むときに、その肥料袋Ｂを一時的にホッパ２の開口部２０の近傍位置に保持させるよう肥料散布機Ａに装備させる肥料袋Ｂの支持台で、この例においては、図７に示しているよう、ホッパ２の内腔の左右の長さに略対応する長さでホッパ２の開口部２０の前後の開口巾Ｄに略対応する巾寸法Ｄ’のすのこ状の支承台６と、これを、ホッパ２の内部に装脱自在な状態として取り付け支架せしめるための取付部材７とからなる。
【００１８】
支承台６は、図９乃至図１１に示しているように、左右に長い大径のパイプ材よりなる前後の枠杆６０・６０と、前後に短い折り曲げ鉄板よりなる左右の側枠６１・６１とで、長方形の囲い枠状の枠体６ａを組み立て、これの左右の側枠６１・６１間に、小径のパイプ材又は丸棒材よりなる支持杆６２を、前後に並列させて渡架し、左右の中間部で、左右の側端にそれぞれ寄る部位には、枠体６ａを前後に横切る長さの鉄板よりなる帯板状に形成した補強材６３を、それの板面が略垂直方向に沿う姿勢として、下方から当接して接合部位を一体に溶接することで、中間部に補強材６３を左右に一対に設けた簀の子状に形成してある。この支承台６は、開口部２０に肥料袋Ｂを凭れかけたときに、開口部２０内に垂れ下がる肥料袋Ｂの前端側を支承する高さ位置に配設してある。そして、開封した肥料袋Ｂから流出する肥料が通過するよう簀の子状に形成するが、網状または目技板状に形成する場合がある。
【００１９】
そして、この支承台６の下面側で長手方向の中間部位において前後に横切るように取り付けた補強材６３は、それらの前後の端部を、枠体６ａの前後の枠杆６０・６０からそれぞれ外側に突出させ、それらの突出端部を、左右方向における一方向（この例においては左方向）にアングル状に折り曲げ、その折曲部により、枠体６ａの枠杆６０・６０に平行して前記一方向に短く突出する舌片状の係止片６４を形成し、かつ、その係止片６４には、後述するリンチピン８を抜き差し自在に差し込む係止穴６５を形成している。
【００２０】
取付部材７は、上述の支承台６をホッパ２の内部に、装脱自在の棚段状に取り付け支架せしめるための取付座であり、この例においては、鉄板により、主体部７０を図４にあるように、ホッパ２の内部の、アジテータ４が収蔵される底部を除いた大半部位を前後に横切る仕切り板状に成形し、その主体部７０の前後の周縁に、ホッパ２の前後の周壁の内面に当接してビスにより閉じ合わせる連結座板７１を折曲げ加工により形設し、上縁には、ホッパ２の天板の前後の隅部の下面に当接してビスにより閉じ合わせる連結座板７３を、折曲げ加工により補強リブ状に形設してある。
【００２１】
そして、この仕切り板状に成形した取付部材７には、それの中央部位に、内径の上下の寸法が、前述の簀の子状に形成した支承台６の前後の巾寸法よりも幾分大きく、内腔の左右の寸法が前記支承台６の前後の寸法より幾分大きくした開口７ａが、打抜き加工により開設してあって、これにより、前述の支承台６を、それの長手方向の一端側から挿通して通過させるのを可能とし、かつ、この開口７ａ内に支承台６を挿通した状態において、その支承台６を、それの長手方向が回動軸となるように旋回させるのが自在になるようにしてある。
【００２２】
そしてまた、この仕切り板状の取付部材７には、前記開口７ａの上方に寄せた部位で、前後の内縁より少し外側に寄せた部位に、前述の支承台６の長手方向の中間部位に設けた補強材６３の前後の突出端部に形設しておいた舌片状の係止片６４を嵌挿せしめる嵌合穴７２が、上下方向に長い窓穴状に開設してある。
【００２３】
そして、これにより、仕切り板状に形成した取付部材７を、図１４及び図１５に示しているように、ホッパ２の内部の所定位置に配位してビス止めによりホッパ２に対し固定装着し、この取付部材７の開口７ａに、簀の子状に形成した支承台６を、図６及び図７にあるように、長手方向の一端側から挿通し、棚面が上向きの姿勢として、補強材６３に設けた舌片状の係止片６４が、取付部材７に設けた嵌合穴７２と対応する高さ位置に動かし、その位置に揃えたところで、支承台６を左右方向に動かして係止片６４を嵌合穴７２に挿し込むことで、支承台６が係止片６４を嵌合させた嵌合穴７２の下縁を支点として、係止片６４により取付部材７に支架されるようにしてあり、また、この嵌合穴７２に嵌合させた係止片６４の先端側に設けた係止穴６５にリンチピン８を挿通することで、取付部材７を介してホッパ２に支架した支承台６が、ホッパ２に対し固定した状態となるようにしている。
【００２４】
取付部材７を介してホッパ２の内部に棚設する支承台６の、ホッパ２の内部における高さ位置は、図１６に示している如く、肥料袋Ｂをホッパ２の開口部２０の口縁部に、その肥料袋Ｂの後端側がホッパ２の開口部２０の口縁の前後に形成されるホッパ２の天板２１の肩部２２に載った状態で、前端側がホッパ２の内部に垂れ下がるように凭れかけたときに、そのホッパ２内に垂れ下がる肥料袋Ｂの前端部が、この支承台６の上面に届いて、その肥料袋Ｂの前端側を支承する状態となるように、この高さ位置を設定している。
【００２５】
また、この支承台６の前後の巾は、取付部材７を介して、ホッパ２の内部に棚設したとき、この支承台６とホッパ２の前後の周壁の内面との間に形成される空間が、肥料袋Ｂの通過を阻止する間隔となるように設定する。
【００２６】
なお、図示する実施例のように、ホッパ２の開口部２０の直下位置に、開口部２０の開口巾と対応する巾に形成して支承台６を棚設する場合にあっては、肥料袋Ｂが、支承台６とホッパ２の前後の周壁の内面との間に形成される空間を流過するようになることが殆どないので、この空間は広くしても差し支えない。
【００２７】
また、取付部材７は、この例においては、図２０・２１に示すようホッパ２の開口部２０を開閉する上蓋２ａの開閉作動機構９の組付座に利用している。
【００２８】
この機構９は、支点軸９０により開閉回動自在にホッパ２に軸支した上蓋２ａの下面側に、下方に突出するブラケット９１を設け、このブラケット９１に支え杆９２の上端側を回動自在に連繋し、その支え杆９２の下端側を、取付部材７に組み付けたガイド９３に摺動自在に挿通し、このガイド９３と上蓋２ａとの間に、コイルバネ９４を装着することで、上蓋２ａを開放側に付勢するコイルバネ９４が、上蓋２ａを閉鎖したときに、死点越えして閉塞側に付勢するようにしている機構である。
【図面の簡単な説明】
【００２９】
【図１】従前の肥料散布機の側面図である。
【図２】同上の平面図である。
【図３】同上の一部破断した側面図である。
【図４】本発明を実施せる肥料散布機の破断した側面図である。
【図５】同上の一部破断した正面図である。
【図６】同上の一部破断した平面図である。
【図７】同上の支承台及び取付部材の斜視図である。
【図８】同上の一部破断した側面図である。
【図９】同上の支承台の平面図である。
【図１０】同上の支承台の正面図である。
【図１１】同上の支承台の側面図である。
【図１２】同上の取付部材の側面図である。
【図１３】同上の取付部材の正面図である。
【図１４】同上の支承台を組み付ける前の状態における一部破断した正面図である。
【図１５】同上の支承台を組み付ける前の状態における平面図である。
【図１６】同上の肥料袋から肥料を投入する状態時の説明図である。
【図１７】同上の状態時の平面視における作用の説明図である。
【図１８】同上の状態時の正面視における作用の説明図である。
【図１９】同上の、支承台がアジテータから作業員の手をガードしている状態の説明図である。
【図２０】上蓋の開閉機構の側面図である。
【図２１】同上の閉塞状態時の側面図である。
【符号の説明】
【００３０】
Ａ    肥料散布機
Ｂ    肥料袋
Ｃ    支持台
Ｄ    開口巾
Ｄ’  巾寸法
１    機体
１０    主体
１１    連結ヒッチ
２    ホッパ
２ａ  上蓋
２０    開口部
２１    天板
２２    肩部
３    ミッション部
４    アジテータ
４０    回転軸
４１    攪拌翼
４２    攪拌棒
５    支持台
５０    支持アーム
５１    棚部材
６    支承台
６ａ  枠体
６０    前後の枠杆
６１    左右の側枠
６２    支持杆
６３    補強材
６４    係止片
６５    係止穴
７    取付部材
７ａ  開口
７０    主体部
７１    連結座板
７２    嵌合穴
７３    連結座板
８    リンチピン
９    開閉作動機構
９０    支点軸
９１    ブラケット
９２    支え杆
９３    ガイド
９４    コイルバネ
【図１】
0005230228.tif 000002
【図２】
0005230228.tif 000003
【図３】
0005230228.tif 000004
【図４】
0005230228.tif 000005
【図５】
0005230228.tif 000006
【図６】
0005230228.tif 000007
【図７】
0005230228.tif 000008
【図８】
0005230228.tif 000009
【図９】
0005230228.tif 000010
【図１０】
0005230228.tif 000011
【図１１】
0005230228.tif 000012
【図１２】
0005230228.tif 000013
【図１３】
0005230228.tif 000014
【図１４】
0005230228.tif 000015
【図１５】
0005230228.tif 000016
【図１６】
0005230228.tif 000017
【図１７】
0005230228.tif 000018
【図１８】
0005230228.tif 000019
【図１９】
0005230228.tif 000020
【図２０】
0005230228.tif 000021
【図２１】
0005230228.tif 000022